(57)【要約】【課題】羽板の取り付けやすさと外れにくさとが両立されたダンパ装置を提供する。【解決手段】駆動源と、羽板（２０）と、前記羽板を回動可能に支持する枠体と、動力伝達機構と、を備え、前記羽板のその回動中心線（ａ）に平行な方向の寸法を該羽板の長さ（ｌ）としたときに、該羽板の長さ方向の両端には、該長さ方向に突出した軸部である第１軸部（２１）が形成されており、前記枠体は、羽板支持部を有しており、前記羽板支持部の周方向の一部に、前記第１軸部が径方向に差し込まれる切欠部である差込口が形成されており、前記差込口に差し込まれる前記第１軸部は、その周方向における一部に、軸幅（ｗ２）が他の部分の軸幅（ｗ１）よりも小さく形成された小径部（２１ｃ）を有しており、前記羽板支持部の周方向における前記差込口の開口幅は、前記第１軸部の前記他の部分の軸幅よりも小さいことを特徴とするダンパ装置により解決する。【選択図】図２
2019052687.tif 000002
【特許請求の範囲】
【請求項１】
駆動源と、
羽板と、
前記羽板を回動可能に支持する枠体と、
前記駆動源の駆動力を前記羽板に伝達し該羽板を回動させる動力伝達機構と、
を備え、
前記羽板のその回動中心線に平行な方向の寸法を該羽板の長さとしたときに、該羽板の長さ方向の両端には、該長さ方向に突出した軸部である第１軸部が形成されており、
前記枠体は、前記各第１軸部を回動可能に支持する一対の軸受である羽板支持部を有しており、
前記羽板支持部の少なくともいずれか一方には、その周方向の一部に、前記第１軸部が径方向に差し込まれる切欠部である差込口が形成されており、
前記第１軸部の前記回動中心線に直交する方向の寸法を該第１軸部の軸幅としたときに、前記差込口に差し込まれる前記第１軸部は、その周方向における一部に、軸幅が他の部分の軸幅よりも小さく形成された小径部を有しており、
前記羽板支持部の周方向における前記差込口の開口幅は、前記第１軸部の前記他の部分の軸幅よりも小さいことを特徴とするダンパ装置。
【請求項２】
前記小径部は、前記第１軸部の周面の一部が平面状に形成されることで軸幅が小さくされた部分であることを特徴とする請求項１に記載のダンパ装置。
【請求項３】
前記小径部は、前記第１軸部の周方向において、前記回動中心線を挟んで互いに反対側に位置する部分が平面状に形成されることで軸幅が小さくされた部分であることを特徴とする請求項２に記載のダンパ装置。
【請求項４】
前記羽板は樹脂製の部材であり、
前記羽板の表面または裏面における長さ方向に直交する方向の寸法を該羽板の幅とし、前記羽板の長さ方向および幅方向に直交する方向の寸法を該羽板の厚さとしたときに、
前記小径部を構成する前記平面状に形成された面は、前記羽板の厚さ方向に平行な面であることを特徴とする請求項２または請求項３に記載のダンパ装置。
【請求項５】
前記羽板支持部の周方向における前記差込口の開口幅は、前記小径部の軸幅よりも小さいことを特徴とする請求項１から請求項４のいずれか一項に記載のダンパ装置。
【請求項６】
複数の前記羽板を備え、
前記枠体は、前記複数の羽板の前記第１軸部を回動可能に支持する複数組の前記羽板支持部を有しており、
前記枠体は、流体の流入口および流出口である一対の開口部を有し、
前記枠体における、前記一対の開口部を連通している中空部を該枠体の流路部としたときに、
前記複数の羽板は、前記流路部内に、いずれか一方の前記開口部である第１開口部に沿って、平行に並べて配置されていることを特徴とする請求項１から請求項５のいずれか一項に記載のダンパ装置。
【請求項７】
前記各羽板の表面または裏面における長さ方向に直交する方向の寸法を該羽板の幅とし、前記流路部における流体の流路方向の寸法を該流路部の高さとしたときに、
前記流路部の高さは、前記各羽板の幅よりも高いことを特徴とする請求項６に記載のダンパ装置。
【請求項８】
前記動力伝達機構は前記流路部内に配置されたリンク機構を有しており、
前記リンク機構の揺動範囲は、前記流路部内に収まることを特徴とする請求項６または請求項７に記載のダンパ装置。
【請求項９】
前記動力伝達機構は、前記流路部内に配置されたリンク機構と、該リンク機構に連結され、前記駆動源の駆動力を前記リンク機構に伝達する部材であるリンク駆動部材と、を有しており、
前記枠体は、前記リンク駆動部材の支持部であるリンク駆動部材支持部を有しており、
前記複数組の羽板支持部および前記リンク駆動部材支持部は、前記枠体と一体成形されていることを特徴とする請求項６から請求項８のいずれか一項に記載のダンパ装置。
【請求項１０】
前記動力伝達機構は、前記流路部内に配置されたリンク機構と、該リンク機構に連結され、前記駆動源の駆動力を前記リンク機構に伝達する部材であるリンク駆動部材と、を有しており、
前記リンク機構は、前記リンク駆動部材に連結される第１リンク部材と、該第１リンク部材と前記各羽板の長さ方向の一端とを連結する第２リンク部材と、を有することを特徴とする請求項６から請求項９のいずれか一項に記載のダンパ装置。
【請求項１１】
前記動力伝達機構は、前記流路部内に配置されたリンク機構と、該リンク機構に連結され、前記駆動源の駆動力を前記リンク機構に伝達する部材であるリンク駆動部材と、を有しており、
前記リンク駆動部材は、歯車部、および出力軸部を有しており、
前記駆動源の駆動力は、前記動力伝達機構が有する一又は複数の歯車部材により前記リンク駆動部材に伝達され、
前記リンク駆動部材の歯車部および前記歯車部材はケース体であるギヤボックスに収容されており、
前記リンク駆動部材の歯車部または前記歯車部材、および前記ギヤボックスは、前記リンク駆動部材が所定の角度位置になったときに、互いに当接して前記駆動力の伝達を遮断するストッパ部を有することを特徴とする請求項６から請求項１０のいずれか一項に記載のダンパ装置。
【請求項１２】
前記動力伝達機構は、前記流路部内に配置されたリンク機構と、該リンク機構に連結され、前記駆動源の駆動力を前記リンク機構に伝達する部材であるリンク駆動部材と、を有しており、
前記枠体は、前記リンク駆動部材の支持部であるリンク駆動部材支持部を有しており、
前記リンク駆動部材支持部は、前記リンク駆動部材を回動可能に支持する軸受であり、
前記リンク駆動部材支持部の軸穴方向、および前記各羽板支持部の軸穴方向は、一直線上または平行となる向きに延びていることを特徴とする請求項６から請求項１１のいずれか一項に記載のダンパ装置。
【請求項１３】
前記各羽板の長さ方向の一端には、該長さ方向に突出し、前記第２リンク部材に連結される軸部である第２軸部が形成されており、
前記各羽板の表面または裏面における長さ方向に直交する方向の寸法を該羽板の幅としたときに、
前記第１軸部および前記第２軸部は、前記各羽板の幅方向における両端に配置されていることを特徴とする請求項１０に記載のダンパ装置。
【発明の詳細な説明】
【技術分野】
【０００１】
本発明はダンパ装置に関する。
【背景技術】
【０００２】
下記特許文献１には、蓋体に突設する回動軸が、Ｌ字型の突片よりなるケース本体の受け部に嵌合されている蓋付き器具ケースが開示されている。
【先行技術文献】
【特許文献】
【０００３】
【特許文献１】実開平１−１６５６８１号公報
【発明の概要】
【発明が解決しようとする課題】
【０００４】
上記特許文献１は、蓋体に突設する回動軸の断面が楕円形に設けられており、本体ケースの抜け止めボスの先端と受け部の垂直片の内面との間隔を、回動軸の短径よりも若干短くしたことにより、蓋体を本体ケースに嵌合し易くなっている。しかし、回動軸の外周面が、受け部に対して点接触あるいは線接触しているため、蓋体の開閉動作により蓋体に外力が加わったときに、回動軸の外周面の点接触あるいは線接触する部分が支点となり、蓋体がケース本体から外れやすくなっている。
【０００５】
上記問題に鑑み、本発明が解決しようとする課題は、羽板の取り付けやすさと外れにくさとが両立されたダンパ装置を提供することにある。
【課題を解決するための手段】
【０００６】
上記課題を解決するため、本発明のダンパ装置は、駆動源と、羽板と、前記羽板を回動可能に支持する枠体と、前記駆動源の駆動力を前記羽板に伝達し該羽板を回動させる動力伝達機構と、を備え、前記羽板のその回動中心線に平行な方向の寸法を該羽板の長さとしたときに、該羽板の長さ方向の両端には、該長さ方向に突出した軸部である第１軸部が形成されており、前記枠体は、前記各第１軸部を回動可能に支持する一対の軸受である羽板支持部を有しており、前記羽板支持部の少なくともいずれか一方には、その周方向の一部に、前記第１軸部が径方向に差し込まれる切欠部である差込口が形成されており、前記第１軸部の前記回動中心線に直交する方向の寸法を該第１軸部の軸幅としたときに、前記差込口に差し込まれる前記第１軸部は、その周方向における一部に、軸幅が他の部分の軸幅よりも小さく形成された小径部を有しており、前記羽板支持部の周方向における前記差込口の開口幅は、前記第１軸部の前記他の部分の軸幅よりも小さいことを特徴とする。
【０００７】
羽板の第１軸部が小径部を有しており、羽板支持部の周方向における差込口の開口幅は、第１軸部の他の部分の軸幅よりも小さいことにより、羽板支持部の差込口の開口幅を小径部の軸幅に合わせて小さく設計することができる。これにより、差込口の開口幅の寸法と、第１軸部の他の部分の軸幅との差を大きくすることができ、他の部分の軸幅に対する羽板支持部の外れ止めとすることができる。そのため、羽板支持部に対する羽板の取り付けやすさと外れにくさとを両立させることができる。
【０００８】
また、前記小径部は、前記第１軸部の周面の一部が平面状に形成されることで軸幅が小さくされた部分であることが好ましい。さらに、前記小径部は、前記第１軸部の周方向において、前記回動中心線を挟んで互いに反対側に位置する部分が平面状に形成されることで軸幅が小さくされた部分であることが好ましい。
【０００９】
小径部は、平面状に形成されることで軸幅が小さくされた部分であることにより、小径部の軸幅の寸法管理が容易になり、例えば、小径部が楕円の周面の一部により形成されている場合と比べて、小径部の寸法管理が容易となることで所望する形状の羽板を作成することが可能となり、羽板を羽板支持部から、より抜けにくく嵌めやすい形状とすることができる。また、組み立て時に小径部の位置の判別が容易であり、枠体に対する羽板の組み立て性を向上することができる。
【００１０】
また、前記羽板は樹脂製の部材であり、前記羽板の表面または裏面における長さ方向に直交する方向の寸法を該羽板の幅とし、前記羽板の長さ方向および幅方向に直交する方向の寸法を該羽板の厚さとしたときに、前記小径部を構成する前記平面状に形成された面は、前記羽板の厚さ方向に平行な面であることが好ましい。
【００１１】
また、前記羽板支持部の周方向における前記差込口の開口幅は、前記小径部の軸幅よりも小さいことが好ましい。
【００１２】
羽板支持部の周方向における差込口の開口幅を、小径部の軸幅よりも小さくすることにより、羽板の第１軸部の小径部を、羽板支持部の差込口の開口に圧入して、羽板支持部の差込口を弾性変形させて嵌合することができる。これにより、羽板を枠体から外れにくくすることができる。
【００１３】
また、複数の前記羽板を備え、前記枠体は、前記複数の羽板の前記第１軸部を回動可能に支持する複数組の前記羽板支持部を有しており、前記枠体は、流体の流入口および流出口である一対の開口部を有し、前記枠体における、前記一対の開口部を連通している中空部を該枠体の流路部としたときに、前記複数の羽板は、前記流路部内に、いずれか一方の前記開口部である第１開口部に沿って、平行に並べて配置されていることが好ましい。
【００１４】
流体の流路を開閉する羽板を複数枚に分割することにより、ダンパ装置の開口面積が大きくなった場合でも、羽板の回動スペースの拡大を抑えることができる。これにより、本発明のダンパ装置は、羽板の回動スペースの確保が容易となり、より狭小なスペースに設置することが可能とされている。
【００１５】
また、前記各羽板の表面または裏面における長さ方向に直交する方向の寸法を該羽板の幅とし、前記流路部における流体の流路方向の寸法を該流路部の高さとしたときに、前記流路部の高さは、前記各羽板の幅よりも高いことが好ましい。
【００１６】
ダンパ装置の枠体が複数の羽板を覆う高さを有していることにより、ダンパ装置の出荷時、保管時、および取付時において、羽板をより安全に保護することができる。
【００１７】
また、前記動力伝達機構は前記流路部内に配置されたリンク機構を有しており、前記リンク機構の揺動範囲は、前記流路部内に収まることが好ましい。
【００１８】
複数の羽板の駆動部材であるリンク機構が、その揺動動作を枠体の流路部内で行い、枠体の外にはその機構を突き出さない構成であることにより、ダンパ装置の設置場所の自由度が高められる。
【００１９】
また、前記動力伝達機構は、前記流路部内に配置されたリンク機構と、該リンク機構に連結され、前記駆動源の駆動力を前記リンク機構に伝達する部材であるリンク駆動部材と、を有しており、前記枠体は、前記リンク駆動部材の支持部であるリンク駆動部材支持部を有しており、前記複数組の羽板支持部および前記リンク駆動部材支持部は、前記枠体と一体成形されていることが好ましい。
【００２０】
羽板支持部とリンク駆動部材支持部とが枠体と一体成形されていることにより、羽板とリンク機構との相対的な位置関係を一定に保つことができる。これにより、寸法誤差や組立誤差によるこれら部材の位置精度への影響を抑え、羽板のスムーズな動作を担保することができる。
【００２１】
また、前記動力伝達機構は、前記流路部内に配置されたリンク機構と、該リンク機構に連結され、前記駆動源の駆動力を前記リンク機構に伝達する部材であるリンク駆動部材と、を有しており、前記リンク機構は、前記リンク駆動部材に連結される第１リンク部材と、該第１リンク部材と前記各羽板の長さ方向の一端とを連結する第２リンク部材と、を有することが好ましい。
【００２２】
リンク機構が上記第１リンク部材および第２リンク部材を有することにより、第１リンク部材を駆動リンクとし、第２リンク部材を中間リンク、枠体を固定リンク、各羽板を従動リンクとする４節リンク機構を構成することができる。これにより、簡易な構造で各羽板の回動動作を同期させることが可能となる。
【００２３】
また、前記動力伝達機構は、前記流路部内に配置されたリンク機構と、該リンク機構に連結され、前記駆動源の駆動力を前記リンク機構に伝達する部材であるリンク駆動部材と、を有しており、前記リンク駆動部材は、歯車部、および出力軸部を有しており、前記駆動源の駆動力は、前記動力伝達機構が有する一又は複数の歯車部材により前記リンク駆動部材に伝達され、前記リンク駆動部材の歯車部および前記歯車部材はケース体であるギヤボックスに収容されており、前記リンク駆動部材の歯車部または前記歯車部材、および前記ギヤボックスは、前記リンク駆動部材が所定の角度位置になったときに、互いに当接して前記駆動力の伝達を遮断するストッパ部を有することが好ましい。
【００２４】
羽板がその回動限界角度に至った時に、リンク機構よりも前の動力伝達部材で駆動力の伝達を遮断することにより、羽板やリンク機構に過剰な応力が加えられることが防止され、羽板およびリンク機構の部品寿命の低下を抑えることができる。
【００２５】
また、前記動力伝達機構は、前記流路部内に配置されたリンク機構と、該リンク機構に連結され、前記駆動源の駆動力を前記リンク機構に伝達する部材であるリンク駆動部材と、を有しており、前記枠体は、前記リンク駆動部材の支持部であるリンク駆動部材支持部を有しており、前記リンク駆動部材支持部は、前記リンク駆動部材を回動可能に支持する軸受であり、前記リンク駆動部材支持部の軸穴方向、および前記各羽板支持部の軸穴方向は、一直線上または平行となる向きに延びていることが好ましい。
【００２６】
これらリンク駆動部材支持部と各羽板支持部の軸穴方向が同一方向であることにより、駆動力を効率的に伝達することができ、また、羽板のねじれなど、各部材に加わる負荷を抑えることができる。
【００２７】
また、前記各羽板の長さ方向の一端には、該長さ方向に突出し、前記第２リンク部材に連結される軸部である第２軸部が形成されており、前記各羽板の表面または裏面における長さ方向に直交する方向の寸法を該羽板の幅としたときに、前記第１軸部および前記第２軸部は、前記各羽板の幅方向における両端に配置されていることが好ましい。
【００２８】
各羽板の幅方向における両端にこれら軸部が設けられていることにより、最小限の駆動力で羽板を回動させることができるとともに、羽板の動作精度を高めることができる。
【発明の効果】
【００２９】
本発明のダンパ装置は、羽板の取り付けやすさと外れにくさとを両立することができる。
【図面の簡単な説明】
【００３０】
【図１】実施形態にかかるダンパ装置の概略構成およびその動作を示す平面図である。
【図２】羽板の形状を示す外観斜視図である。
【図３】フレームの形状を示す平面図および側面視断面図である。
【図４】実施形態にかかるダンパ装置の分解斜視図である。
【図５】歯車部材の減速構造を示す透過平面図である。
【図６】ストッパ部の構造を示す側面図である。
【図７】リンク機構の揺動動作を示す側面図である。
【図８】羽板支持部の差込口の開口角度を説明する側面視断面図である。
【図９】小径部を示す模式図である。
【図１０】フレームと羽板の嵌合を示す側面視部分断面図である。
【図１１】羽板の成形金型を示す側面視断面図である。
【図１２】変形例の羽板を示す外観斜視図である。
【図１３】フレームと変形例の羽板の嵌合を示す側面視部分断面図である。
【発明を実施するための形態】
【００３１】
以下、本発明にかかるダンパ装置の実施形態について図面を用いて説明する。本実施形態にかかるダンパ装置Ｄは、図示しない冷蔵庫の内部に配置され、庫内における冷気の循環を制御する。本実施形態のダンパ装置Ｄは、例えば冷蔵庫のダクトの中途や、ダクトと収納室との間に嵌め込まれて使用される。本発明のダンパ装置の適用対象は冷蔵庫には限られず、流体の流路の開閉や流量の調節を行う目的において広範な機器や設備に適用可能である。
【００３２】
＜全体構成概要＞
図１は、本実施形態に係るダンパ装置Ｄの概略構成およびその動作を示す平面図である。図１（ａ）は、羽板２０が閉じた状態のダンパ装置Ｄであり、図１（ｂ）は、羽板２０が開いた状態のダンパ装置Ｄである。
【００３３】
ダンパ装置Ｄは、３枚の羽板２０、およびこれら羽板２０を回動可能に支持する枠体であるフレーム１０を有している。フレーム１０には、フレーム１０の枠内とダクトとを連通させる一対の開口部である第１開口部１１および第２開口部１２が形成されている。本実施形態のフレーム１０には、冷気が第２開口部１２から流入し、第１開口部１１から流出する。本実施形態における羽板２０は、フレーム１０の第１開口部１１に沿うように平行に並べて配置されている。これら羽板２０は、ダンパ装置Ｄが備える駆動源であるモータ４０の駆動力により回動し、第１開口部１１を開閉する。フレーム１０の第１開口部１１側の端部には、その全周から第１開口部１１の中心となる位置に向かって延出したフランジ部１０ｆが形成されており。第１開口部１１は、フランジ部１０ｆにより、羽板２０でその全面を覆うことができる程度の開口面積に調節されている。第２開口部１２側にはフランジ部は設けられておらず、これにより第２開口部１２の開口面積は、第１開口部１１よりもフランジ部１０ｆの延出幅の分だけ広く形成されている。
【００３４】
ダンパ装置Ｄは、第１開口部１１を開閉する板状部材が複数枚の羽板２０に分割されている。このため、ダンパ装置Ｄの開口面積が大きくなった場合でも、羽板２０の数を増やすことで個々の羽板２０の回動スペースを一定に保つことができる。これにより、ダンパ装置Ｄは、羽板２０の回動スペースを確保することが容易化されており、狭小なスペースにおいても羽板２０を適切に動作させることが可能とされている。
【００３５】
＜羽板の構成＞
（全体構成）
図２は羽板２０の形状を示す外観斜視図である。羽板２０は細長く形成された板状部材である。以下の説明では、羽板２０のその回動中心線ａに平行な方向の寸法を羽板２０の長さｌといい、羽板２０の表面２０ａまたは裏面２０ｂにおける長さｌ方向に直交する方向の寸法を羽板２０の幅ｗという。また、以下の説明では、羽板２０のその幅ｗ方向における回動中心線ａ側の端部を羽板２０の基端部ｂ、その反対側の端部を羽板２０の先端部ｔという。
【００３６】
羽板２０の長さｌ方向の両端には、長さｌ方向に突出した軸部である第１軸部２１が形成されている。第１軸部２１はフレーム１０に回動可能に支持されており、これにより、羽板２０の回動中心線ａの位置が決められている。羽板２０の長さｌ方向の一端には、長さｌ方向に突出した第２軸部２２が形成されている。第２軸部２２は、モータ４０の駆動力をうけて回動中心線ａを中心とする円弧上を往復移動し、羽板２０の回動角度を決定する。第１軸部２１および第２軸部２２は、羽板２０の幅ｗ方向において、ほぼその両端となる位置に配置されている。これにより最小限の駆動力で羽板２０を回動させることができるとともに、羽板２０の動作精度が高められている。
【００３７】
後述する図３に示す羽板支持部１５の差込口１５ａに差し込まれる第１軸部２１の周面である外周面２１ｂには、小径部２１ｃが形成されている。また、小径部２１ｃは、回動中心線ａを挟んで互いに反対側に、外周面２１ｂの一部が平面状に形成された面である平面部２１ａが形成されている。なお、小径部２１ｃの詳細は、後述する。
【００３８】
羽板２０の幅ｗ方向の両端面は、その表面２０ａ側および裏面２０ｂ側の角部が丸められた曲面により構成されている。これにより、羽板２０の開閉時において、隣接する羽板２０と角部が接触することが防止され、第１開口部１１を閉じたときの各羽板２０間の隙間を小さくすることが可能とされている。
【００３９】
第２軸部２２には、羽板２０および第２軸部２２と一体成形された補強部２２ｒが設けられている。補強部２２ｒは第２軸部２２の第１軸部２１側の側面を支持することで、第２軸部２２の強度を補っている。また、第２軸部２２は、羽板２０の先端ｔよりもやや中心側に配置されている。第２軸部２２から先端ｔまでの空間Ｓ１と、補強部２２ｒから第１軸部２１までの空間Ｓ２は、各羽板２０が第１開口部１１を閉じたときに、後述する羽板支持部１５をその空間内に逃がし、羽板２０と羽板支持部１５とが接触することを防ぐための構成である。
【００４０】
（小径部）
図９は、小径部２１ｃを示す模式図である。図９（ａ）は、羽板２０をフレーム１０に嵌合した状態である。また、図９（ｂ）は、羽板２０を回動した状態である。なお、図９は、説明を明確にするために、羽板支持部１５の差込口１５ａの開口幅ｗ３と、軸幅ｗ２の小径部２１ｃとが明確に相違するように図示した。
【００４１】
図９（ａ）に示すように、羽板支持部１５の差込口１５ａに差し込まれる第１軸部２１は、他の部分の軸幅である軸幅ｗ１の外周面２１ｂと、軸幅ｗ２が外周面２１ｂの軸幅ｗ１よりも小さく形成された小径部２１ｃとから構成されている。また、羽板支持部１５の差込口１５ａの開口幅ｗ３は、第１軸部２１の外周面２１ｂの軸幅ｗ１よりも小さく形成されている。また、第１軸部２１は、軸幅ｗ２の小径部２１ｃを構成する平面部２１ａが、羽板支持部１５の開口幅ｗ３の差込口１５ａに差し込まれる。ここで、第１軸部２１の回動中心線ａに直交する方向の寸法を、第１軸部２１の軸幅ｗ１、ｗ２とする。また、小径部２１ｃは、第１軸部２１を羽板支持部１５の差込口１５ａに差し込む方向から見て、第１軸部２１の軸幅ｗ１よりも小さい軸幅で形成されている。
【００４２】
また、第１軸部２１の軸幅ｗ１の外周面２１ｂは、羽板支持部１５の軸穴の内周面と接触することにより、軸受として機能している。また、軸幅ｗ２の小径部２１ｃは、羽板支持部１５の軸穴の内周面と接触していない。そのため、第１軸部２１は、形状の精度が求められる軸幅ｗ１の外周面２１ｂと、軸幅ｗ１の外周面２１ｂに比べて形状の精度が求められない軸幅ｗ２の小径部２１ｃから構成されている。
【００４３】
羽板２０の第１軸部２１が小径部２１ｃを有しており、羽板支持部１５の周方向における差込口１５ａの開口幅ｗ３は、第１軸部２１の外周面２１ｂの軸幅ｗ１よりも小さいことにより、羽板支持部１５の差込口１５ａの開口幅ｗ３を、小径部２１ｃの軸幅ｗ２に合わせて小さく設計することができる。これにより、差込口１５ａの開口幅ｗ３の寸法と、第１軸部２１の小径部２１ｃ以外の軸幅ｗ１との差を大きくすることができ、小径部２１ｃ以外の軸幅ｗ１に対する羽板支持部１５の外れ止め効果の低下が抑制できている。そのため、羽板支持部１５に対する羽板２０の取り付けやすさと外れにくさとを両立させることができている。
【００４４】
また、小径部２１ｃは、第１軸部２１の外周面２１ｂの一部が、平面状に形成されることで外周面２１ｂの軸幅ｗ１よりも小さい軸幅ｗ２に形成されている。これにより、小径部２１ｃの軸幅ｗ２の寸法を管理することが容易となっている。例えば、小径部２１ｃが楕円の周面の一部により形成されている場合と比べて、小径部２１ｃの形状の管理が容易であり測定を容易にすることができている。また、小径部２１ｃが、第１軸部２１の外周面２１ｂの一部を曲面に形成することで外周面２１ｂの軸幅ｗ１よりも小さい軸幅ｗ２に形成されている場合には、小径部２１ｃの軸幅ｗ２の最大部は１点となり、羽板２０の寸法管理が困難になる。また、組み立て時に軸幅ｗ２の最大部の位置の判別が困難になる。一方、小径部２１ｃが、第１軸部２１の外周面２１ｂの一部を平面状に形成することで外周面２１ｂの軸幅ｗ１よりも小さい軸幅ｗ２に形成されている場合には、小径部２１ｃの軸幅ｗ２の最大部は平面部の範囲となり、小径部２１ｃの寸法管理が容易となることで所望する形状の羽板２０を作成することが可能となり、羽板２０を羽板支持部１５から、より抜けにくく嵌めやすい形状とすることができる。また、小径部２１ｃの軸幅ｗ２の最大部は平面部であるため、組み立て時に軸幅ｗ２の最大部の位置の判別が容易であり、フレーム１０に対する羽板２０の組み立て性を向上することができる。
【００４５】
また、小径部２１ｃは、第１軸部２１の外周面２１ｂにおいて、回動中心線ａを挟んで互いに反対側に平面部２１ａが形成されることで外周面２１ｂの軸幅ｗ１よりも小さい軸幅ｗ２に形成されている。
【００４６】
また、羽板支持部１５の周方向における差込口１５ａの開口幅ｗ３は、小径部２１ｃの軸幅ｗ２よりも小さく設けられている。また、羽板支持部１５は、弾性変形可能であり、差込口１５ａの開口幅ｗ３の両側は、図９の座標軸表示におけるＺ軸方向に平行な方向に突出した突起状に形成されている。これにより、羽板２０の第１軸部２１の小径部２１ｃを、羽板支持部１５の差込口１５ａに圧入して、羽板支持部１５の差込口１５ａを弾性変形させて嵌合することができている。そのため、羽板２０をフレーム１０から外れにくくすることができている。また、図９（ｂ）に示すように、羽板２０を回動した状態においては、羽板支持部１５の軸穴に対して、第１軸部２１の軸幅ｗ１の外周面２１ｂが接触する面積を、図９（ａ）に示す羽板２０をフレーム１０に嵌合した状態に比べて増やすことができている。そのため、羽板２０をフレーム１０から、より外れにくくすることができている。
【００４７】
（羽板とフレームの嵌合）
図１０は、フレーム１０と羽板２０の嵌合を示す側面視部分断面図である。図１０（ａ）は、図１のＥ方向から見たフレーム１０に対する羽板２０の嵌めこみ位置を示す側面視部分断面図であり、図１０（ｂ）および図１０（ｃ）は、フレーム１０に嵌合した羽板２０の回動範囲を示す側面視部分断面図である。また、図１０（ｂ）は、羽板２０の回動範囲の一端であり、羽板２０の開位置を示している。また、図１０（ｃ）は、羽板２０の回動範囲の他端であり、羽板２０の嵌めこみ位置から所定の回動角度θ分だけ、開位置側に回動している閉位置を示している。なお、以下の説明では、第１軸部２１の回動中心線ａに直交する方向の寸法を第１軸部２１の軸幅ｗ１、ｗ２という。以下、図１０により、羽板２０をフレーム１０に嵌合する状態、およびダンパ装置Ｄの搬送時および使用時の一例を説明する。
【００４８】
図１０（ａ）に示すように、第１軸部２１は、第１軸部２１の外周面２１ｂの一部が、外周面２１ｂの軸幅ｗ１よりも小さい軸幅ｗ２である小径部２１ｃを構成する平面部２１ａを有している。また、小径部２１ｃは、第１軸部２１の外周面２１ｂの一部が平面状に形成されており、第１軸部２１の外周面２１ｂにおいて、回動中心線ａを挟んで互いに反対側に平面部２１ａが形成されている。
【００４９】
また、図１０（ａ）に示すように、フレーム１０に対する羽板２０の嵌めこみ位置は、図１０（ｂ）に示す羽板２０の開位置と図１０（ｃ）に示す羽板２０の閉位置とにより設定される回動範囲の範囲外に設定されている。
【００５０】
また、羽板２０の第１軸部２１は、フレーム１０に形成された後述する羽板支持部１５の差込口１５ａに差し込まれる。ここで、差し込まれる方向は、図１０（ａ）の座標軸表示におけるＺ軸方向に平行な方向であって、図中の白抜き矢印が示す方向をいう。羽板支持部１５の差込口１５ａに差し込まれてフレーム１０に嵌合した羽板２０は、嵌めこみ位置となっている。また、羽板２０は、羽板支持部１５の差込口１５ａに差し込まれて嵌合した後、ダンパ装置Ｄの使用時に、図１０（ｂ）から図１０（ｃ）に示す回動範囲を回動する。また、ダンパ装置Ｄの搬送時には、羽板２０は、図１０（ｂ）から図１０（ｃ）に示す回動範囲を回動して位置決めされる。
【００５１】
また、図１０（ｃ）の回動角度θは、羽板２０が嵌めこみ位置になるまでの角度であれば、任意に角度を設定できる。例えば、羽板２０が嵌めこみ位置になることを回避する角度として、羽板２０を、開位置から嵌めこみ位置に至る直前の数度前の角度で回動するように制御することにより、羽板支持部１５の軸穴に対して、第１軸部２１の軸幅ｗ１の外周面２１ｂが接触する面積を、羽板２０の嵌めこみ位置に比べて増やすことができている。また、羽板２０が嵌めこみ位置まで回動する場合であっても、羽板２０は、第１軸部２１の小径部２１ｃの平面部２１ａを、羽板支持部１５の開口幅ｗ３の差込口１５ａに圧入して、羽板支持部１５の開口幅ｗ３の差込口１５ａを弾性変形させて、羽板支持部１５に嵌合されているため、羽板２０がフレーム１０から外れにくくすることができている。
【００５２】
なお、回動範囲は、羽板２０に度当たりを設けることにより設定することができる。また、羽板２０を駆動させる第１リンク部材５６、第２リンク部材５７等の駆動部材に度当たりを設けることにより設定することができる。さらにまた、モータ４０の制御により設定することができる。
【００５３】
（羽板の成形）
図１１は、羽板２０の成形金型を示す側面視断面図である。以下、図１１により、羽板２０の成形方法を説明する。
【００５４】
図１１に示す羽板２０は、樹脂製の部材であり、上型６０ａおよび下型６０ｂからなる成形金型６０により成形する。成形金型６０のパーティングライン６０ｃが設けられている位置は、図１１の座標軸表示におけるＹ軸方向に平行な方向であって、成形する羽板２０の第１軸部２１の回動中心線ａを挟んで互いに反対側に形成されている小径部２１ｃの平面部２１ａに接する位置であり、小径部２１ｃの平面部２１ａに直交するように設けられている。また、成形金型６０の抜き方向は、羽板２０の厚さ方向に平行な方向に設けられている。また、小径部２１ｃの平面部２１ａは、羽板２０の厚さ方向に平行な面となっている。ここで、羽板２０の厚さ方向とは、図１１の座標軸表示におけるＺ軸方向に平行な方向である。なお、パーティングライン６０ｃは、平面部２１ａに対して図１１の座標軸表示におけるＺ軸方向で重なる位置関係になっていれば良い。
【００５５】
また、第１軸部２１の小径部２１ｃの軸幅を設定するときは、第１軸部２１の回動中心線ａを挟んで互いに反対側に対向して形成されている外周面２１ｂの円弧の角度範囲を、羽板２０の回動角度範囲以上にすることが望ましい。これにより、フレーム１０に対する羽板２０の嵌めこみ位置を羽板２０の回動範囲が跨がない限り、常に第１軸部２１の直径位置である外周面２１ｂを羽板支持部１５の軸穴の内周面に摺動させることができる。
【００５６】
プラスチック射出成形では、成形金型６０のパーティングライン６０ｃ上に線跡やバリなどが生じるため、パーティングライン６０ｃ上の成形精度は、他の部位の成形精度に比べて劣る。成形品の曲面や複雑な面をパーティングライン６０ｃ上に配置し、これを高い精度で成形しようとするときには、成形金型６０にも相応の高い精度が要求される。そこで、羽板２０を成形する成形金型６０の抜き方向を、羽板２０の厚さ方向に平行な方向にし、第１軸部２１の小径部２１ｃを構成する平面部２１ａをパーティングライン６０ｃ上に配置することにより、パーティングライン６０ｃ上の成形品の形状が単純化され、第１軸部２１の成形精度が高められるとともに、成形金型６０に要求される精度が緩和される。
【００５７】
また、円柱状の第１軸部２１を全周で精度を高める事は困難であり、特にパーティングライン６０ｃ上では成形金型６０の摩耗などにより精度が悪化しやすい。そのため、第１軸部２１に軸受として使用しない小径部２１ｃを構成する平面部２１ａを作り、その平面部２１ａをパーティングライン６０ｃ上に配置することによって、軸受として使用する平面部２１ａ以外の外周面２１ｂの成形精度を高めつつも成形金型６０の管理がしやすくなっている。
【００５８】
尚、本実施形態においては３枚の羽板２０が用いられているが、本発明のダンパ装置の羽板の数は、２枚以上であることを条件として、その上限については特に制限されない。例えば、羽板２０の幅ｗを狭くして、同一面積の流路に対してより多くの羽板２０を配置することにより、個々の羽板２０の回動スペースをさらに小さく抑えることができるが、部品点数が増えることにより、当然、故障率や組み立て工数も増加する。一方、羽板２０の数を減らせば、そのような問題を軽減することができるが、羽板２０の数を減らした分だけ羽板２０の回動スペースは大きくなる。本発明のダンパ装置の羽板の数は、ダンパ装置が用いられる環境条件に応じて、その増減に伴うメリットおよびデメリットのバランスを鑑みて、最適な数を決定すればよい。尚、本実施形態においては、後述するリンク機構５０ｌの構造上、羽板２０を奇数枚とすることが好ましい。
【００５９】
＜フレームの構成＞
（全体構成）
図３はフレーム１０の形状を示す平面図および側面視断面図である。図３（ａ）はフレーム１０の平面図、図３（ｂ）は、図３（ａ）におけるＡ−Ａ方向断面図である。
【００６０】
フレーム１０は、３枚の羽板２０を回動可能に支持する略矩形状の中空の枠体である。フレーム１０には、その枠内に冷気を通す第２開口部１２および第１開口部１１が形成されている。以下、第２開口部１２と第１開口部１１とを連通しているフレーム１０の中空部をフレーム１０の流路部１０ａという。上でも述べたように、フレーム１０には、第１開口部１１の全周にわたってフランジ部１０ｆが形成されている。これにより、外力に対するフレーム１０の剛性が高められており、外力によるフレーム１０の変形が抑えられている。また、フレーム１０の図３（ａ）視右側の端部には、後述する歯車部材５０ｇが収容されるケース状部であるギヤボックス１０ｇと、同じく後述するリンク機構５０ｌが収容される空間であるリンク機構配置部１０ｌと、が一体的に成形されている。
【００６１】
本実施形態のフレーム１０は、流路部１０ａにおける流体の流路方向の寸法を流路部１０ａの高さｈとしたときに、流路部１０ａの高さｈは、各羽板２０の幅ｗと略同じ高さとされている。これにより、ダンパ装置Ｄ全体の薄型化が図られている。流路部１０ａの高さｈは、常に羽板２０の幅ｗと同じである必要はなく、ダンパ装置Ｄが用いられる環境条件に応じて、さらに低くしてもよく、逆に羽板２０の幅ｗより高くしてもよい。例えば、流路部１０ａの高さｈを各羽板２０の幅ｗよりも高くすることにより、ダンパ装置Ｄの組立時や搬送時に羽板２０に不用意に力が加わることを防ぐことができる。
【００６２】
（羽板支持部の構成）
フレーム１０の枠内には、羽板２０を支持する複数の羽板支持部１５が形成されている。羽板支持部１５は、それぞれが羽板２０の第１軸部２１を回動可能に支持する軸受である。羽板支持部１５は、各羽板２０に対して一対ずつ、羽板２０の長さｌ方向の両端に相当する位置に設けられている。各羽板２０の一対の羽板支持部１５のうち、図３（ａ）視右側の羽板支持部１５は、フランジ部１０ｆに形成されており、その周方向の一部に、第１軸部２１がその羽板支持部１５に対して径方向に差し込まれる切欠部である差込口１５ａが形成されている。図３（ａ）視左側の羽板支持部１５は、フレーム１０の内壁面に形成されており、同羽板支持部１５の軸穴は、フレーム１０の側壁を貫通しない凹部とされている。これにより、同羽板支持部１５に塗布されたグリスはその軸穴内に留められ、グリスが容易に外部へ流出することが防止されている。
【００６３】
また、図３（ａ）において最も上側に配置された羽板支持部１５の組は、その支持する羽板２０が閉状態にあるときに、その羽板２０の先端部ｔがフランジ部１０ｆに重なる位置に調節されている（図１（ａ）参照）。さらに、図３（ａ）において最も下側に配置された羽板支持部１５の組は、その支持する羽板２０が全開状態にあるときに、その羽板２０の少なくとも一部が、第１開口部１１側から見てフランジ部１０ｆの背後に隠れる位置に調節されている（図１（ｂ）参照）。本実施形態のダンパ装置Ｄでは、羽板支持部１５がこのように配置されていることにより、第１開口部１１の開口面積の最大化が図られている。
【００６４】
図８は、図３（ｂ）に示されるフレーム１０に対して、羽板２０が全開状態で配置されたときの側面視断面図である。図８に示されるように、差込口１５ａが形成された各羽板支持部１５の、その周方向における差込口１５ａの開口角度は、第１開口部１１の開口径方向のうち、各羽板２０の長さｌ方向と直交する方向である短辺方向１１ａに対して、直角となる角度に設定されている。なお、第１開口部１１の「開口径方向」とは、第１開口部１１の開口面積を定める面方向であって、図８の座標軸表示におけるＸＹ平面に平行な方向をいう。また、短辺方向１１ａと「直角」とは図８の座標軸表示におけるＺ軸方向に平行な方向をいう。
【００６５】
羽板支持部１５の差込口１５ａを第１開口部１１の短辺方向１１ａに対して直角に形成することにより、差込口１５ａは、羽板２０の回動動作の全開となる方向に開口されることとなる。本実施形態のダンパ装置Ｄは、差込口１５ａの切欠方向が羽板２０の回動動作の全開となる方向に向けられていることにより、羽板２０を羽板支持部１５の差込口１５ａにたいして、鉛直方向から嵌合できる。これにより、羽板２０をフレーム１０へワンタッチで組み付けることができる。ここで、鉛直方向とは、図８の座標軸表示におけるＺ軸方向に平行な方向のことをいう。また、各羽板支持部１５は、図８の座標軸表示におけるＹ軸方向に平行な方向にたいして、左右対称の形状に形成されている。これにより、各羽板支持部１５は、羽板２０を取り付ける時に、羽板２０から加えられる荷重を左右均等に分散できる。そのため、羽板支持部１５の破損が抑制されている。
【００６６】
＜動力伝達機構＞
（全体構成）
図４は、本実施形態のダンパ装置Ｄの分解斜視図である。ダンパ装置Ｄは、モータ４０の駆動力で羽板２０を回動させて第１開口部１１を開閉することにより、冷気の流路を連通させたり、遮断したりする。モータ４０の駆動力は、歯車部材５０ｇおよびリンク機構５０ｌからなる動力伝達機構５０により、羽板２０に伝達される。
【００６７】
（モータ）
本実施形態のモータ４０にはステッピングモータが使用されている。ステッピングモータは正逆両方向に回転可能であり、また、ステップ数によりその回転角度を算出することができる。よって、羽板２０のその時々における配置角度を検出するために別途ロータリエンコーダなどによるフィードバック制御を行う必要がない。これにより、ダンパ装置Ｄ全体における部品点数の削減および装置の小型化が図られている。
【００６８】
（歯車部材）
図５は、図４のＢ方向から見た歯車部材５０ｇの減速構造を示す透過平面図である。以下、図４と図５を参照して歯車部材５０ｇについて説明する。
【００６９】
モータ４０の駆動力は、その出力軸に固定されたモータピニオン４１から、歯車部材５０ｇを介して減速されてリンク機構５０ｌに伝達される。歯車部材５０ｇは、第１歯車５１から第４歯車５４、および、リンク機構５０ｌを揺動させるリンク駆動部材である第５歯車５５の５つの歯車部材により構成されている。
【００７０】
フレーム１０とモータ４０とは、これらの間に配置されたケース体である中ケース３０により連結されている。第１歯車５１は、モータ４０と中ケース３０とにより区画される空間内に配置され、同空間内に設けられた支軸４２に回転可能に支持されている。第２歯車５２から第４歯車５４は、フレーム１０のケース状部であるギヤボックス１０ｇと中ケース３０とにより区画される空間内に配置され、同空間内に設けられた支軸３２に回転可能に支持されている。第５歯車５５は、中ケース３０に形成された凹部３３と、ギヤボックス１０ｇから流路部１０ａに貫通した軸受部であるリンク駆動部材支持部１６とにより回転可能に支持されている。
【００７１】
第１歯車５１から第４歯車５４は、モータピニオン４１の回転を減速して第５歯車５５に伝達する減速歯車列である。第５歯車５５は、第４歯車５４と噛合する扇状の歯車が形成された歯車部５５ｇと、その駆動力をリンク機構５０ｌに伝達する出力軸部である軸部５５ｓとが一体化された部材である。第５歯車５５の軸部５５ｓは、その外周面の一部が平面状に切り欠かれている。かかる切り欠きは、軸部５５ｓの周方向において対称となる位置に一対設けられている。
【００７２】
歯車部材５０ｇを構成する第１歯車５１から第４歯車５４は、大径の平歯車および小径の平歯車が軸方向に連結されて一体化された複合歯車である。モータ４０のモータピニオン４１には第１歯車５１の大径歯車５１ｗが噛合しており、大径歯車５１ｗの回転はその小径歯車５１ｎに減速されて伝達される。中ケース３０には、フレーム１０側に突き出した有蓋筒状のカバー部３１が形成されており、その筒内には第１歯車５１の小径歯車５１ｎが収容されている。カバー部３１はその周方向の一部が切り欠かれており、そこから小径歯車５１ｎの一部が露出している。そして、小径歯車５１ｎのその露出した部分は、第２歯車５２の大径歯車５２ｗに噛合している。以降、順次、第２歯車５２の小径歯車５２ｎから第３歯車５３の大径歯車５３ｗに、第３歯車５３の小径歯車５３ｎから第４歯車５４の大径歯車５４ｗに、第４歯車５４の小径歯車５４ｎから第５歯車５５の歯車部５５ｇに、モータ４０の駆動力が減速されて伝達される。
【００７３】
図６は、リンク駆動部材支持部１６に挿入された第５歯車５５を、図４のＣ方向からみた側面図である。説明の便宜上、フレーム１０と第５歯車５５以外の部材は図示を省略している。第５歯車５５の歯車部５５ｇとフレーム１０のギヤボックス１０ｇは、羽板２０が所定の回動角度になったとき、すなわち、第５歯車５５が所定の角度位置になったときに、互いに当接することでリンク機構５０ｌへの駆動力の伝達を遮断する、ストッパ部１０ｃ，５５ｃを有している。本実施形態の動力伝達機構５０は、羽板２０がその回動限界角度に至った時に、リンク機構５０ｌよりも前の動力伝達部材で駆動力の伝達を遮断する構成とされていることにより、羽板２０やリンク機構５０ｌに過剰な応力が加えられることが防止されており、羽板２０およびリンク機構５０ｌの部品寿命の低下が抑えられている。本実施形態においては第５歯車５５にストッパ部５５ｃが設けられているが、本発明の歯車部材側のストッパ部は、第５歯車５５以外の歯車部材に設けられていてもよい。尚、本実施形態では、ギヤボックス１０ｇがフレーム１０の一部としてフレーム１０と一体成形されているが、ギヤボックス１０ｇはフレーム１０とは別体であってもよい。
【００７４】
（リンク機構）
図７は、リンク機構５０ｌの揺動動作を図４のＣ方向から見た図である。図７（ａ）は羽板２０が全開状態のときの透過側面図であり、図７（ｂ）は羽板２０が閉状態のときの透過側面図である。以下、図４と図７を参照してリンク機構５０ｌについて説明する。
【００７５】
リンク機構５０ｌは、第１リンク部材５６および第２リンク部材５７により構成されている。第１リンク部材５６は、第５歯車５５の駆動力を受けて第２リンク部材５７を揺動させ、これにより第２リンク部材５７は、３枚の羽板２０の第２軸部２２を、それら各羽板２０の回動中心線ａを中心とする円弧上で往復移動させ、各羽板２０を回動させる。
【００７６】
第１リンク部材５６は、２つの略円筒形状の軸受が互いに径方向に連結された部材である。第１リンク部材５６は、第５歯車５５の軸部５５ｓが嵌合される嵌合穴５６ｂと、第２リンク部材５７の連結軸５７ａを回動可能に支持する軸穴５６ａとを有している。第１リンク部材５６の嵌合穴５６ｂの形状は、第５歯車５５の軸部５５ｓの形状に対応している。これにより、軸部５５ｓの平面に切り欠かれた部分が、嵌合穴５６ｂに対して周方向に係合し、第５歯車５５と第１リンク部材５６とが一体的に回動する。
【００７７】
第２リンク部材５７は、細長い板状体を主構成とする部材である。第２リンク部材５７の羽板２０側の面には、３枚の羽板の第２軸部２２を回動可能に支持する３つの連結穴５７ｂが形成されており、その反対側の面には、第１リンク部材５６の軸穴５６ａに支持される連結軸５７ａが第１リンク部材５６側に突出している。
【００７８】
本実施形態のリンク機構５０ｌ、羽板２０、およびフレーム１０は、第１リンク部材５６を駆動リンクとし、第２リンク部材５７を中間リンク、フレーム１０を固定リンク、各羽板２０を従動リンクとする４節リンク機構を構成している。これにより、簡易な構造で各羽板２０の回動動作を同期させることが可能とされている。
【００７９】
ここで、フレーム１０のリンク駆動部材支持部１６には、第５歯車５５の軸部５５ｓが支持されている。本実施形態におけるフレーム１０には、このリンク駆動部材支持部１６と、上述の羽板支持部１５とが一体成形されている。本実施形態のダンパ装置Ｄでは、羽板支持部１５およびリンク駆動部材支持部１６がフレーム１０と一体成形されていることにより、羽板２０とリンク機構５０ｌとの相対的な位置関係を一定に保つことが可能とされている。これにより、寸法誤差や組立誤差によるこれら部材の位置精度への影響が抑えられており、羽板２０のスムーズな動作が担保されている。
【００８０】
また、リンク機構５０ｌは、図１や図４においてリンク機構５０ｌの第２開口部１２側がカバー部１９で覆われていることからも分かるように、その揺動範囲が、フレーム１０の流路部１０ａの範囲内に収まっている。つまり、本実施形態のリンク機構５０ｌは、その揺動動作の全過程において、フレーム１０の外部にその端部が突き出すことがない。これにより、ダンパ装置Ｄの設置場所の自由度が高められている。
【００８１】
さらに、リンク駆動部材支持部１６の軸穴方向、および各羽板支持部１５の軸穴方向は、一直線上または平行となる向きに延びている。本実施形態のダンパ装置Ｄは、これらリンク駆動部材支持部１６と各羽板支持部１５の軸穴方向が同一方向とされていることにより、モータ４０の駆動力を効率的に伝達することができ、また、羽板２０のねじれなど、各部材に加わる負荷が抑えられている。
【００８２】
＜変形例＞
以下に、先の実施形態のダンパ装置Ｄの変形例について説明する。以下の説明では、先の実施形態と同一または同様の構造および機能を有する構成については、先の実施形態と同一の符号を付してその詳細な説明を省略する。
【００８３】
図１２は変形例の羽板２９を示す外観斜視図である。また、図１３は、フレーム１０と変形例の羽板２９の嵌合を示す側面視部分断面図である。図１３（ａ）は、フレーム１０に対する変形例の羽板２９の嵌めこみ位置を示す側面視部分断面図である。図１３（ｂ）および図１３（ｃ）は、フレーム１０に嵌合した変形例の羽板２９の回動範囲を示す側面視部分断面図である。また、図１３（ｂ）は、変形例の羽板２９の回動範囲の一端であり、羽板２９の開位置を示している。また、図１３（ｃ）は、変形例の羽板２９の回動範囲の他端であり、羽板２９の嵌めこみ位置から所定の回動角度θ分だけ、開位置側に回動されている閉位置を示している。以下の説明では、第１軸部２１の回動中心線ａに直交する方向の寸法を第１軸部２１の軸幅ｗ１、ｗ４とする。
【００８４】
図１２および図１３（ａ）に示すように、変形例の羽板２９の第１軸部２１は、第１軸部２１の外周面２１ｂの一部が、外周面２１ｂの軸幅ｗ１よりも小さい軸幅ｗ４に形成された小径部２１ｄを有している。また、小径部２１ｄは、第１軸部２１の外周面２１ｂにおいて、回動中心線ａを挟んで互いに反対側に平面部２１ａが形成されている。また、図１３（ａ）に示すように、変形例の羽板２９は、第１軸部２１の軸幅ｗ４の小径部２１ｄを構成する平面部２１ａを、フレーム１０の羽板支持部１５の開口幅ｗ５の差込口１５ａに差し込んだ後、フレーム１０に対して図１３（ｂ）から図１３（ｃ）に示す回動範囲を回動する。このとき、第１軸部２１は、羽板支持部１５の軸穴に対して、第１軸部２１の軸幅ｗ１の外周面２１ｂが接触する面積を、羽板２９の嵌めこみ位置に比べて増やすことができている。
【００８５】
ここで、変形例の羽板２９の第１軸部２１の軸幅ｗ４は、図２および図１０に示す羽板２０の小径部２１ｃの軸幅ｗ２よりも小さく形成されているため、変形例の羽板２９を差し込む差込口１５ａの開口幅ｗ５を、羽板２０を差し込む差込口１５ａの開口幅ｗ３よりも小さく設定することができている。これにより、図１３（ａ）に示す変形例の羽板２９の外周面２１ｂの軸幅ｗ１と差込口１５ａの開口幅ｗ５との寸法差は、図１０（ａ）に示す羽板２０の外周面２１ｂの軸幅ｗ１と差込口１５ａの開口幅ｗ３との寸法差に比べて大きくなっている。そのため、ダンパ装置Ｄの搬送時および使用時に、変形例の羽板２９は、羽板２０に比べて、より羽板支持部１５から外れにくくすることができている。
【００８６】
以上、本発明の実施の形態について説明したが、本発明は上記実施の形態に限定されるものではなく、本発明の要旨を逸脱しない範囲で種々の改変が可能である。例えば、上記実施形態では、全ての羽板２０を一つのモータ４０の駆動力により回動させているが、これら各羽板２０を複数のモータ４０を用いて回動させる構成などが考えられる。
【符号の説明】
【００８７】
Ｄ  ダンパ装置
１０  フレーム（枠体）
１０ａ  流路部
１０ｇ  ギヤボックス
１０ｃ  ストッパ部
１１  第１開口部
１１ａ  第１開口部の短辺方向
１２  第２開口部
ｈ  流路部１０ａの高さ
１５  羽板支持部
１５ａ  差込口
１６  リンク駆動部材支持部
２０、２９  羽板
２０ａ  表面
２０ｂ  裏面
ａ  羽板２０の回動中心線
ｌ  羽板２０の長さ
ｗ  羽板２０の幅
ｗ１  第１軸部２１の他の部分の軸幅
ｗ２  小径部２１ｃの軸幅
ｗ４  小径部２１ｄの軸幅
ｗ３、ｗ５  差込口１５ａの開口幅
ｂ  羽板２０の基端
ｔ  羽板２０の先端
２１  第１軸部
２１ａ  平面部
２１ｂ  外周面（周面）
２１ｃ、２１ｄ  小径部
２２  第２軸部
４０  モータ（駆動源）
５０  動力伝達機構
５０ｇ  歯車部材
５０ｌ  リンク機構
５５  第５歯車（リンク駆動部材）
５５ｇ  歯車部
５５ｃ  ストッパ部
５５ｓ  出力軸部
５６  第１リンク部材
５７  第２リンク部材
【図１】
2019052687.tif 000003
【図２】
2019052687.tif 000004
【図３】
2019052687.tif 000005
【図４】
2019052687.tif 000006
【図５】
2019052687.tif 000007
【図６】
2019052687.tif 000008
【図７】
2019052687.tif 000009
【図８】
2019052687.tif 000010
【図９】
2019052687.tif 000011
【図１０】
2019052687.tif 000012
【図１１】
2019052687.tif 000013
【図１２】
2019052687.tif 000014
【図１３】
2019052687.tif 000015